(57)【要約】  【課題】アーム等の筒状体の開口端部に取り付けたキャップの取付強度低下を招来することなく、しかも、筒状体の開口端部近傍にナットを容易且つ的確に取り付けることが可能なナットの取付構造を提供する。  【解決手段】アーム５２の開口端部を蓋封可能なキャップＣを用いてなり、キャップＣが、アーム５２内に挿入可能な挿入部Ｃ１と、挿入部Ｃ１に設けられ板ナットＮを保持するナット保持部Ｃ１４とを具備したものであり、ナット保持部Ｃ１４に板ナットＮを保持させた状態でキャップＣをアーム５２の開口端部に取り付けることによって、板ナットＮをアーム５２の開口端部近傍に取り付けるようにした。【選択図】図７
2009014186.tif 000002
【特許請求の範囲】
【請求項１】
筒状体の開口端部近傍にナットを取り付ける際に適用されるナットの取付構造であって、
前記筒状体の開口端部を蓋封可能なキャップを用いてなり、
当該キャップが、前記開口端部から前記筒状体内に挿入可能な挿入部と、当該挿入部に設けられ前記ナットを保持するナット保持部とを具備したものであり、
前記ナット保持部に前記ナットを保持させた状態で前記キャップを前記筒状体の開口端部に取り付けることによって、前記ナットを前記筒状体の開口端部近傍に取り付けるようにしていることを特徴とするナットの取付構造。
【請求項２】
前記筒状体が対向する一対の側壁を備えたものであり、前記キャップが、一対の前記ナット保持部を備え、各ナット保持部に保持されたナットが前記各側壁にそれぞれ添接又は近接し得るようにしている請求項１記載のナットの取付構造。
【請求項３】
前記ナット保持部が、前記ナットを収容可能な凹部である請求項１又は２記載のナットの取付構造。
【請求項４】
前記キャップが、前記ナット保持部に保持したナットが外側方へ抜け外れること防止する抜け外れ防止手段を備えたものである請求項１、２又は３記載のナットの取付構造。
【請求項５】
前記抜け外れ防止手段が、前記ナットを前記ナット保持部に保持した状態において当該ナットの端面又は端面近傍に当接し得る突起である請求項４記載のナットの取付構造。
【請求項６】
前記筒状体が、天板を支持する支持構造体の一部を構成するものであり、
前記ナットを利用して前記筒状体に取付可能な部材が、天板の下面側に配される梁フレームを連結するための梁フレーム連結体である請求項１、２、３、４又は５記載のナットの取付構造。
【請求項７】
前記支持構造体が、天板の幅方向中央部を支持し得る中間脚を備えたものであり、
当該中間脚が、起立姿勢で配される中間脚本体と、当該中間脚本体の上端部から天板の奥行き方向に沿って延伸するアームとを備えたものであり、
前記筒状体が前記アームである請求項６記載のナットの取付構造。
【請求項８】
前記支持構造体が、前記ナットを利用して前記筒状体に前記梁フレーム連結体を取り付けたフレーム連結状態と、前記梁フレーム連結体を前記筒状体から取り外したフレーム非連結状態とを選択可能なものである請求項６又は７記載のナットの取付構造。
【請求項９】
天板と、当該天板を支持する支持構造体とを備えた天板付家具であって、
前記支持構造体が、天板の下面側に配され、且つ請求項１〜８何れか記載のナットの取付構造により開口端部にナットを取り付けた筒状体を備え、当該筒状体に前記ナットを利用して取り付けてなる梁フレーム連結体に、梁フレームを連結した梁フレーム連結体状態と、前記筒状体から前記梁フレーム連結体を取り外したフレーム非連結状態とを選択可能なものであることを特徴とする天板付家具。
【発明の詳細な説明】
【技術分野】
【０００１】
本発明は、筒状をなす部材の開口端部近傍にナットを取り付ける際に適用されるナットの取付構造、及びこのようなナットの取付構造を適用した天板付家具に関するものである。
【背景技術】
【０００２】
従来より、筒状をなす部材（以下「筒状体」と称す）の開口端部をキャップで蓋封する態様は広く知られている。また、筒状体に他の部材を取り付けるために、筒状体内にナットを溶接し、このナットを利用して他の部材を筒状体に取り付ける態様も知られている。
【０００３】
そして、このような従来技術を踏まえた上で、筒状体の開口端部をキャップで蓋封しつつ、他の部材を筒状体の開口端部近傍に取り付る場合には、筒状体の開口端部近傍における内部にナットを溶接する一方で、このナットとキャップとが相互に干渉する事態を回避すべく、キャップのうち筒状体内に挿入可能な挿入部の寸法を小さく設定するという態様が考えられる。なお、このような従来技術は、現場において適宜実施され得るものであり、特許文献などとして開示されているものはない。
【発明の開示】
【発明が解決しようとする課題】
【０００４】
しかしながら、挿入部の寸法を小さくした場合には、当然のことながら筒状体に対するキャップの挿入量も小さくなり、取付強度の低下を招来し、キャップが外れ易く、実用性に欠けるという問題が生じる。また、そもそも筒状体の内部にナットを溶着するという作業自体が、手間の掛かる細かな作業であり、作業性に劣るという問題もある。さらには、筒状体の内部にナットを溶着する態様であれば、ナットが損傷した際、ナットの交換を使用者自身によって行うことは困難であり、筒状体ごと交換しなければならないという不具合もある。
【０００５】
本発明は、このような課題に着目してなされたものであって、主たる目的は、筒状体の開口端部に取り付けたキャップの取付強度低下を招来することなく、しかも、筒状体の開口端部近傍にナットを容易且つ的確に取り付けることが可能なナットの取付構造を提供することにある。
【課題を解決するための手段】
【０００６】
すなわち、本発明のナットの取付構造は、筒状体の開口端部近傍にナットを取り付ける際に適用されるものであって、前記筒状体の開口端部を蓋封可能なキャップを用いてなり、当該キャップが、前記開口端部から前記筒状体内に挿入可能な挿入部と、当該挿入部に設けられ前記ナットを保持するナット保持部とを具備したものであり、前記ナット保持部に前記ナットを保持させた状態で前記キャップを前記筒状体の開口端部に取り付けることによって、前記ナットを前記筒状体の開口端部近傍に取り付けるようにしていることを特徴とする。
【０００７】
このようなものであれば、キャップのナット保持部にナットを保持させる態様であるため、ナットとの干渉を避けるために筒状体に対するキャップの挿入量が制限されることなく、キャップの良好なキャップの取付強度を実現することができるとともに、キャップを筒状体の開口端部に装着する作業によってナットを開口端部近傍に取り付けることができ、ナットを筒状体内に溶着するという細かな作業を省くことによって取付作業性の向上にも資する。しかも、ナット保持部にナットを着脱可能に保持させることによって、ナットの交換やメンテナンスを使用者自身によって簡単に行うことができ、ナットが損傷した場合にはナットだけを交換することで対応することができる。
【０００８】
特に、前記筒状体が対向する一対の側壁を備えたものであり、前記キャップが、一対の前記ナット保持部を備え、各ナット保持部に保持されたナットが前記各側壁にそれぞれ添接又は近接し得るようにすれば、一の開口端部に一対のナットを対向配置することができ、これら各ナットを利用して相互に個別の部材を取り付けることが可能となり、使用態様の幅が広がる。
【０００９】
さらに、前記ナット保持部が、前記ナットを収容可能な凹部であれば、ナット保持部を簡単な構造で実現できる。
【００１０】
加えて、前記キャップが、前記ナット保持部に保持したナットが外側方へ抜け外れること防止する抜け外れ防止手段を備えたものであれば、抜け外れ防止手段によってナットが適切な位置に位置決めされて保持される。
【００１１】
前記抜け外れ防止手段が、前記ナットを前記ナット保持部に保持した状態において当該ナットの端面又は端面近傍に当接し得る突起であれば、構造の複雑化を招くことなくナットの抜け外れを確実に防止することができる。
【００１２】
好適な実施態様としては、前記筒状体が、天板を支持する支持構造体の一部を構成するものであり、前記ナットを利用して前記筒状体に取付可能な部材が、天板の下面側に配される梁フレームを連結するための梁フレーム連結体である態様が挙げられる。
【００１３】
さらに具体的な実施態様としては、前記支持構造体が、天板の幅方向中央部を支持し得る中間脚を備えたものであり、当該中間脚が、起立姿勢で配される中間脚本体と、当該中間脚本体の上端部から天板の奥行き方向に沿って延伸するアームとを備えたものであり、前記筒状体が前記アームである態様が挙げられる。
【００１４】
前記支持構造体が、前記ナットを利用して前記筒状体に前記梁フレーム連結体を取り付けたフレーム連結状態と、前記梁フレーム連結体を前記筒状体から取り外したフレーム非連結状態とを選択可能なものであれば、寸法や重量の異なる種々の天板にも好適に対応することができる。
【００１５】
また、本発明の天板付家具は、天板と、当該天板を支持する支持構造体とを備えたものであって、前記支持構造体が、天板の下面側に配され、且つ上に述べたナットの取付構造により開口端部にナットを配した筒状体を備え、当該筒状体に前記ナットを利用して取り付けてなる梁フレーム連結体に、梁フレームを連結した梁フレーム連結体状態と、前記筒状体から前記梁フレーム連結体を取り外したフレーム非連結状態とを選択可能なものであることを特徴とする。
【００１６】
このようなものであるため、支持構造体を、フレーム連結状態と、フレーム非連結状態との間で切り替えることによって大きさや重量の異なる種々の天板にも柔軟に対応することができる。
【発明の効果】
【００１７】
以上説明したように本発明によれば、筒状体の開口端部に取り付けたキャップの取付強度低下を招来することなく、しかも、筒状体の開口端部近傍にナットを容易且つ的確に取り付けることが可能なナットの取付構造を提供することができる。
【発明を実施するための最良の形態】
【００１８】
以下、本発明の一実施形態を、図面を参照して説明する。
【００１９】
本実施形態では、例えば図１に示す天板付家具１のうち、天板２を支持する支持構造体３の一部に、本発明のナットの取付構造を適用している。
【００２０】
天板付家具１は、自席が限定されない所謂フリーアドレス型のオフィスにおいて用いられる大型のテーブルであり、天板２と、この天板２を支持する支持構造体３とを主体としてなるものである。
【００２１】
天板２は、図１に示すように、天板要素２１を複数用いて構成したものである。具体的には、平面視矩形状をなす例えば木製の天板要素２１を４つ用い、そのうち２枚ずつの天板要素２１を一組としてそれらの反使用端２１ｂ同士を向き合わせて配置し、その天板要素２１の組を隣接させて配置することで、天板２全体の奥行き方向中央部に各天板要素２１の反使用端２１ｂを集合させ、且つ奥行き方向両端部に各天板要素２１の使用端２１ａを位置付けている。なお、天板２全体の奥行き方向に対をなす天板要素２１の反使用端２１ｂ同士の間に隙間を形成し、この隙間を、天板２の下方空間に配置した図示しない配線ダクトの配線空間に連通させている。また、図１では、天板２全体の奥行き方向中央部にデスクトップパネルＤＴＰを設けるとともに、天板２全体の両サイドにサイドパネルＳＰを設けた態様を例示しているが、これらデスクトップパネルＤＴＰ、サイドパネルＳＰは用途に応じて取り外し可能なものである。
【００２２】
支持構造体３は、起立姿勢で配され左右一対をなすパネル状の脚体（以下、「パネル脚４」と称す）と、一対のパネル脚４同士の略中間位置に配される中間脚５と、各パネル脚４と中間脚５との間に横架させた梁フレームとを備えたものである。
【００２３】
パネル脚４は、図２に示すように、脚本体４１と、脚本体４１の上端部にそれぞれ設けたアタッチメント取付部４２、第１の梁フレーム連結金具４３、及び第２の梁フレーム連結金具４４とを備えたものである。
【００２４】
脚本体４１は、外パネルと内パネルとを相互に組み付けたものである。なお脚本体４１の下端部には複数の接地体４１６を設けている。本実施形態では、脚本体４１の厚み寸法を従来のものより十分に薄く設定し、天板２下に広い下肢空間を形成している。このパネル脚４は、外パネル４１１と内パネル４１２との間に形成される内部空間に補強部４１３、４１４、４１５を介在させている。
【００２５】
アタッチメント取付部４２は、天板２の下面側に配される梁フレームを連結するための梁フレーム連結体（以下、説明の便宜上「第３の梁フレーム連結金具」と称す：図示省略）、及び天板２を直接支持するための天板受け金具（図示省略）を選択的に取付可能なものである。本実施形態では、アタッチメント取付部４２を、パネル脚４の幅方向（換言すれば天板２の奥行き方向）両端部近傍部位に、脚本体４１より内方（換言すれば天板２下の下肢空間側）に突出した状態で取り付けている。
【００２６】
このようなアタッチメント取付部４２を備えたパネル脚４は、アタッチメント取付部４２に第３の梁フレーム連結金具を取り付けた梁フレーム連結金具取付状態、又はアタッチメント取付部４２に天板受け体を取り付けた天板受け体取付状態の何れかを選択できるものである。
【００２７】
第１の梁フレーム連結金具４３、及び第２の梁フレーム連結金具４４は、アタッチメント取付部４２と同様にパネル脚４より内方に突出した状態で取り付けられるものである。本実施形態では、脚本体４１の幅方向中央部位に、一対の第１の梁フレーム連結金具４３を取り付けるとともに、各第１の梁フレーム連結金具４３と各アタッチメント取付部４２との略中間部位に第２の梁フレーム連結金具４４を取り付けている。これら、各梁フレーム連結金具４３、４４は、アタッチメント取付部４２と略同じ高さ位置に取り付けられるものである。
【００２８】
なお、アタッチメント取付部４２、第１の梁フレーム連結金具４３、及び第２の梁フレーム連結金具４４は、それぞれ対応する位置に設けた前記補強部４１３、４１４、４１５を利用して脚本体４１に固定されている。
【００２９】
一方、中間脚５は、図３及び図４等に示すように、起立姿勢で配される中間脚本体５１と、当該中間脚本体５１の上端部から天板２の奥行き方向に沿って延伸する一対のアーム５２と、アーム５２にそれぞれ取り付けた第１の梁フレーム連結体５３、第２の梁フレーム連結体５４、及び第３の梁フレーム連結体５５とを備えたものである。なお、図３及び図４は、各部を単純化して模式的に示すものである。
【００３０】
中間脚本体５１は、起立姿勢で天板２の奥行き方向に対向する一対の支柱５１１と、支柱５１１の上端部同士を連結する支柱連結金具５１２とを一体的に備えたものである。
【００３１】
各アーム５２は、図２〜図７等に示すように、対向する一対の側壁５２１、上壁５２２、及び底壁５２３を一体に有する概略四角筒状をなすものである。このアーム５２が本発明の「筒状体」に相当する。本実施形態では扁平なアーム５２を適用している。各アーム５２の長手方向に沿って第１の梁フレーム連結体５３、第２の梁フレーム連結体５４、及び第３の梁フレーム連結体５５を取り付けている。これら第１の梁フレーム連結体５３、第２の梁フレーム連結体５４、及び第３の梁フレーム連結体５５は、それぞれ第１の梁フレーム連結金具４３、第２の梁フレーム連結金具４４、アタッチメント取付部４２と対向する位置に取り付けられている。
【００３２】
本実施形態の支持構造体２は、このような中間脚５を前記一対のパネル脚４同士の間に配し、第１の梁フレーム連結金具４３及び第１の梁フレーム連結体５３に連結した第１の梁フレーム６によって各天板要素２１の反使用端２１ｂ側を支持し、第２の梁フレーム連結金具４４及び第２の梁フレーム連結体５４に連結した第２の梁フレーム７によって各天板要素２１の奥行き方向中央部を支持し、アタッチメント取付部４２に装着した第３の梁フレーム連結金具及び第３の梁フレーム連結体５５に連結した第３の梁フレーム８によって各天板要素２１の使用端２１ａ側を支持するものとなる。
【００３３】
ところで、本実施形態のパネル脚４は、前述したように、例えば天板２の幅寸法に応じて、梁フレーム連結金具取付状態又は天板受け体取付状態の何れかを選択できるものであり、梁フレーム連結金具取付状態に設定した場合には、アタッチメント取付部４２と対向する第３の梁フレーム連結体５５は必須の部材である一方、天板受け体取付状態に設定した場合には、当該第３の梁フレーム連結体５５はその機能を発揮し得ないものとなり、過剰設備となるきらいがある。
【００３４】
そのため、本実施形態では、第３の梁フレーム連結体５５をアーム５２に着脱可能に取り付け、パネル脚４の設定に応じて、中間脚５が、当該第３の梁フレーム連結体５５をアーム５２に取り付けた梁フレーム連結体取付状態（５Ａ）（図３参照）、又は第３の梁フレーム連結体５５をアーム５２に取り付けていない梁フレーム連結体非取付状態（５Ｂ）（図４参照）の何れかを選択できるようにしている。
【００３５】
本実施形態では、図５に示すように、第３の梁フレーム連結体５５が、アーム５２の開口端部近傍に取り付けたナット、具体的には板ナットＮを利用して取付可能にしている。
【００３６】
しかして、アーム５２の開口端部近傍に板ナットＮを取り付ける際の取付構造として、本発明に係るナットの取付構造を適用している。この取付構造は、図５〜図７に示すように、アーム５２の開口端部を蓋封するキャップＣを用いて、アーム５２の開口端部に板ナットＮを取り付けるようにしたものである。本実施形態では、一対のネジ孔Ｎａを有する板ナットＮを適用している。
【００３７】
キャップＣは、アーム５２の内部空間に挿入可能な挿入部Ｃ１と、挿入部Ｃ１をアーム５２内に挿入した場合にアーム５２の開口端部に当接し、それ以上の挿入動作を規制し得る当たり部Ｃ２と、アーム５２の開口端部に取り付けた状態で外部に表出し得る化粧部Ｃ３とを備えたものである。本実施形態では、樹脂製のキャップＣを適用している。なお、以下の説明では、キャップＣのうち、アーム５２の長手方向と同一方向を前後方向とし、「相対的にアーム５２から遠い方の端」を「前端」とし、「相対的にアーム５２に近い方の端」を「後端」としている。
【００３８】
挿入部Ｃ１は、図８に示すように、底壁Ｃ１１と、底壁Ｃ１１の後端部から起立する後壁Ｃ１２と、後壁Ｃ１２の両側端部近傍から前方に向かって延伸する一対の対向リブＣ１３とを備えたものである。この挿入部Ｃ１の両側縁部に、板ナットＮを保持するためのナット保持部Ｃ１４を対にして形成している。各ナット保持部Ｃ１４は、一方の側縁から他方の側縁に向かって窪ませた凹部Ｃ１４ａによって形成されている。ナット保持部Ｃ１４は、上方及び外側方に開口され、挿入部Ｃ１に、当該ナット保持部Ｃ１４に保持した板ナットＮが外側方へ抜け外れること防止する抜け外れ防止手段を備えている。本実施形態では、抜け外れ防止手段として、後壁Ｃ１２に設けられ、板ナットＮの端面又は端面近傍に当接し得る突起Ｃ１５を適用している。また、挿入部Ｃ１に、天板固定用ボルト挿入部Ｃ１６を設けている。本実施形態では、天板固定用ボルト挿入部Ｃ１６をナット保持部Ｃ１４の近傍に設け、天板固定用ボルト挿入部Ｃ１６の一部が、ナット保持部Ｃ１４に保持させた板ナットＮの内向面に添接又は近接し、ナット保持部Ｃ１４に対する板ナットＮの相対位置を位置決めする位置決め手段としても機能し得るようにしている。対をなす天板固定用ボルト挿入部Ｃ１６間は後壁Ｃ１２と略平行をなす中間リブＣ１７によって接続されている。挿入部Ｃ１は、最大幅寸法をアーム５２の側壁５２１間の内法寸法と略同一又は若干小さく設定するとともに、最大高さ寸法をアーム５２の上壁５２２と底壁５２３との内法寸法と略同一又は若干小さく設定している。
【００３９】
化粧部Ｃ３は、対向する一対の対向壁Ｃ３１と、対向壁Ｃ３１の前端部間を接続する前壁Ｃ３２とを備えたものである。各対向壁Ｃ３１は、挿入部Ｃ１の底壁Ｃ１１よりも外側方に出っ張った位置に設けられ、後端部が前記当たり部Ｃ２として機能する。当たり部Ｃ２として機能する対向壁Ｃ３１の後端部は略鉛直である一方、対向壁Ｃ３１の前端部は、その下半部領域を下方に向かって漸次後方に傾斜させている。したがって、前壁Ｃ３２の下半部領域に、下方に向かって漸次後方に傾斜したテーパ面Ｃ３２ａが形成される。化粧部Ｃ３は、最大幅寸法をアーム５２の側壁５２１間の外法寸法と略同一に設定するとともに、最大高さ寸法をアーム５２の上壁５２２と底壁Ｃ１１との外法寸法と略同一に設定している。
【００４０】
そして、前記ナット保持部Ｃ１４に板ナットＮを上方から差し込んで保持させた状態で、挿入部Ｃ１をアーム５２を開口端部に挿入することにより、キャップＣをアーム５２を開口端部に取り付けることができるとともに、板ナットＮがアーム５２の開口端部近傍に配される。なお、キャップＣの挿入部Ｃ１をアーム５２内に挿入する過程で、当たり部Ｃ２がアーム５２の開口端部に当接し、キャップＣのそれ以上の挿入方向への移動が規制される。キャップＣをアーム５２の開口端部に取り付けた状態で、少なくとも化粧部Ｃ３の対向壁Ｃ３１とアーム５２の側壁５２１とが略面一になり、良好な外観を呈する。アーム５２の開口端部近傍に位置付けられた各板ナットＮは、それぞれ対面するアーム５２の側壁５２１に添接又は近接し、板ナットＮの各ネジ孔Ｎａが、アーム５２の側壁５２１に形成したボルト挿入孔５２１ａと連通する（図６参照）。
【００４１】
このようにしてアーム５２の開口端部近傍に配した板ナットＮを利用して、第３の梁フレーム連結体５５をアーム５２の開口端部近傍に着脱可能に取り付けるようにしている。
【００４２】
ここで、第３の梁フレーム連結体５５について説明する。なお、以下の説明では、第３の梁フレーム連結体５５のうち、アーム５２に取り付けた状態でアーム５２の長手方向と直交する方向を前後方向としている。第３の梁フレーム連結体５５は、例えばアルミダイキャスト製の本体部５５１を主体としてなり、前後方向に貫通する一対のボルト挿入孔５５１ａを有するものである。各ボルト挿入孔５５１ａの開口端部にはボルト頭部収容孔を形成している。本体部５５１の幅方向中央部には、ナット５５３を斜め上方に傾斜した姿勢で固定したナット保持部材５５２を収容し得る縦孔５５１ｂが形成してあり、この縦孔５５１ｂにナット保持部材５５２を下方から挿入して保持するようにしている。ナット保持部材５５２は、上端部に形成した弾性変形可能な係合爪５５２ａを前記縦孔５５１ｂ内に設けた段部５５１ｃに弾性係合させることで第３の梁フレーム連結体５５に取付可能な樹脂製のものである。さらに、本体部５５１に、ナット５５３のネジ孔５５３ａを斜め上方に開放させるための窓部５５１ｄを形成している。
【００４３】
そして、第３の梁フレーム連結体５５のボルト挿入孔５５１ａと、アーム５２の側壁５２１に形成したボルト挿入孔５２１ａとが連通するように、アーム５２に対する第３の梁フレーム連結体５５の相対位置を位置決めした状態で、これらボルト挿入孔５５１ａ、ボルト挿入孔５２１ａに挿入した共通のボルトＢＬ１を板ナットＮのネジ孔Ｎａに締着することにより、第３の梁フレーム連結体５５をアーム５２の開口端部近傍に固定することができる。
【００４４】
このようにしてアーム５２の開口端部近傍に第３の梁フレーム連結体５５を取り付けることによって、中間脚５が梁フレーム連結体取付状態（５Ａ）となる（図３参照）。そして、同図に示すように、この第３の梁フレーム連結体５５に第３の梁フレーム８を連結することによって、支持構造体３が、第３の梁フレーム連結体５５に第３の梁フレーム８を連結してなるフレーム連結状態（３Ａ）となる。
【００４５】
第３の梁フレーム連結体５５に第３の梁フレーム８を連結するには、先ず、第３の梁フレーム８の端面と、第３の梁フレーム連結体５５のうち梁フレーム８側の端面とが向き合うように、第３の梁フレーム８を上方から第３の梁フレーム連結体５５の突出端部側に載せ置く。この際、図８に示すように、第３の梁フレーム８の上壁８１の下向面が、第３の梁フレーム連結体５５に設けた突出端５５１ｅの上向面に当たり、第３の梁フレーム８が不意に抜け落ちることを防止し、第３の梁フレーム８と第３の梁フレーム連結体５５との相対取付位置が仮決めされる。なお、本実施形態では、第３の梁フレーム８の端面に切除部８ａを形成しているため、第３の梁フレーム８を第３の梁フレーム連結体５５の内方端に上方から被せるように取り付けても、第３の梁フレーム８の下端部が第３の梁フレーム連結体５５の突出端５５１ｅに当たることがない。この状態で、第３の梁フレーム連結体５５の内部に保持させたナット５５３のネジ孔５５３ａと、第３の梁フレーム８の側壁８２間に架け渡したピン状をなす固定架材Ｐのボルト挿通孔Ｐａとが、第３の梁フレーム連結体５５の窓部ｄを介して斜め方向に連通し、このボルト挿通孔Ｐａに斜め上方から挿入した連結用ボルトＢＬ２を、固定架材Ｐを足場としてネジ孔５５３ａに締め付ける。その結果、ナット５５３と固定架材Ｐとを相寄る方向に引き寄せる力が第３の梁フレーム連結体５５及び第３の梁フレーム８の端面同士を押圧する力となり、高い取付強度が得られるとともに、第３の梁フレーム８の切除部８ａが第３の梁フレーム連結体５５のテーパ面５５１ｆにくさび作用によってがたつきの無い状態で圧接し、第３の梁フレーム８が第３の梁フレーム連結体５５に強固に連結される。この連結状態において、少なくとも第３の梁フレーム８の上向面（上壁８１の上向面）と第３の梁フレーム連結体５５の上向面とが略面一となり、これら略面一となった領域に天板２の下向面が面的に当たる。
【００４６】
このような手順を経てフレーム連結状態（３Ａ）に設定した支持構造体３と天板２との固定は、高さ方向に連通するアーム５２の天板固定用ボルト挿入孔５２２ａ、５２３ａ、及びキャップＣに設けた天板固定用ボルト挿入部Ｃ１６に下方から挿入した共通の天板固定用ボルト（図示省略）を、天板２に埋設したナットに締め付けるとともに、第３の梁フレーム連結体５５に設けた天板固定用ボルト挿入部５５１ｇに下方から挿入した共通の天板固定用ボルト（図示省略）を、天板２に埋設したナットに締め付けることにより行う。
【００４７】
なお、このような連結構造は、第１の梁フレーム連結体５３、第２の梁フレーム連結体５４、第１の梁フレーム連結金具４３、第２の梁フレーム連結金具４４、アタッチメント取付部４２に装着した第３の連結金具に略共通するものである。
【００４８】
他方、パネル脚４が、アタッチメント取付部４２に天板受け体４２を取り付けた天板受け体取付状態に設定する場合、中間脚５もこれに応じて、上述した手順とは逆の手順を経て第３の梁フレーム連結体５５をアーム５２から取り外すことにより、梁フレーム連結体取付状態（５Ａ）から梁フレーム連結体非取付状態（５Ｂ）に切り替える（図４参照）。その結果、同図に示すように、支持構造体３が、第３の梁フレーム８を有さないフレーム非連結状態（３Ｂ）となる。なお、中間脚５を梁フレーム連結体非取付状態（５Ｂ）に設定した場合、アーム５２の各側壁５２１に形成したボルト挿入孔５２１ａには例えば樹脂製の保護キャップＨＣを取り付けている。
【００４９】
このような構造を有する本実施形態の天板付家具１は、天板２の幅寸法に応じて、中間脚５を梁フレーム連結体取付状態（５Ａ）又は梁フレーム連結体非取付状態（５Ｂ）の何れかに選択することにより、良好な天板２の支持状態を実現している。具体的には、天板要素２１として幅寸法が大きいものを適用した場合には、中間脚５を梁フレーム連結体取付状態（５Ａ）に設定するとともに、天板要素２１として幅寸法が小さいものを適用した場合には、中間脚５を梁フレーム連結体非取付状態（５Ｂ）に設定する。
【００５０】
このように本実施形態に係るナットの取付構造は、アーム５２の開口端部を蓋封可能なキャップＣを用いてなり、キャップＣが、アーム５２内に呑み込まれる挿入部Ｃ１と、挿入部Ｃ１に設けられ板ナットＮを保持するナット保持部Ｃ１４とを具備したものであり、ナット保持部Ｃ１４に板ナットＮを保持させた状態でキャップＣをアーム５２の開口端部に取り付けることによって、板ナットＮをアーム５２の開口端部近傍に取り付けるようにしているため、キャップＣのうちアーム５２内に呑み込まれる領域、すなわち挿入部Ｃ１の寸法を板ナットＮとの干渉を避けるために短く設定する必要がなく、アーム５２に対するキャップＣの良好な取付状態を維持することができる。しかも、キャップＣをアーム５２の開口端部に装着する作業によって板ナットＮを開口端部近傍に取り付けることができ、板ナットＮをアーム５２内に溶着するという細かな作業を省くことができ、作業性向上にも資する。
【００５１】
また、キャップＣが、一対のナット保持部Ｃ１４を備え、各ナット保持部Ｃ１４に保持された板ナットＮがアームの各側壁５２１にそれぞれ添接又は近接し得るようにしているため、一の開口端部に一対の板ナットＮを対向配置することができ、これら各板ナットＮを利用して相互に個別の第３の梁フレーム連結体５５を取り付けることができ、実用性に優れたものとなる。
【００５２】
さらに、ナット保持部Ｃ１４が、板ナットＮを収容可能な凹部Ｃ１４ａであるため、ナット保持部Ｃ１４を簡単な構造で実現できる。
【００５３】
キャップＣが、ナット保持部Ｃ１４に保持した板ナットＮが外側方へ抜け外れること防止する抜け外れ防止手段を備えているため、板ナットＮの良好の保持状態を維持することができ、アーム５２の開口端部にキャップＣを装着する作業も難なく行うことができる。
【００５４】
特に、ナット保持部Ｃ１４に板ナットＮを保持した状態において板ナットＮの端面又は端面近傍に当接し得る突起Ｃ１５によって抜け外れ防止手段を構成しているため、構造簡素化の点で極めて有利であり、突起Ｃ１５によって板ナットＮが外側方へ抜け外れること確実に防止することができる。
【００５５】
また、本実施形態に係る天板付家具１は、天板２と、天板２を支持する支持構造体３とを備え、支持構造体３が、天板２の下面側に配され、上述したナットの取付構造により開口端部に板ナットＮを配したアーム５２を備え、アーム５２に取り付けた第３の梁フレーム連結体５５を利用して梁フレーム６を連結した梁フレーム連結体状態（３Ａ）と、アーム５２から第３の梁フレーム連結体５５を取り外したフレーム非連結状態（３Ｂ）とを選択可能なものであるため、支持構造体３を、フレーム連結状態（３Ａ）と、フレーム非連結状態（３Ｂ）との間で切り替えることによって大きさや重量の異なる種々の天板２にも柔軟に対応することができる。
【００５６】
なお、本発明は、以上に詳述した実施形態に限られるものではない。
【００５７】
例えば、キャップのナット保持部に保持される板ナットが、単一又は３以上のネジ孔を有するものであってもよい。また、板ナット以外のナットを適用しても勿論構わない。さらに、一のナット保持部に複数のナットを保持させる態様を採用してもよい。
【００５８】
また、キャップの挿入部に単一又は３以上のナット保持部を設けてもよい。挿入部は、筒状体の内面との摩擦によって筒状体内に保持されるものであればよく、筒状体の断面形状（円形や楕円形、あるいは多角形等）に応じて挿入部の断面形状も適宜変形すればよい。キャップが、樹脂製以外のもの、例えば板金製やアルミダイキャスト製のものであってもよい。
【００５９】
また、ナット保持部が、挿入部に設けられナットの一部と係合可能な係合部を用いたものであっても構わない。この場合、係合部をナットに係合させることにより、この係合部を、ナット保持部に保持したナットが外側方へ抜け外れること防止する抜け外れ防止手段としても機能させることが可能である。
【００６０】
一の抜け外れ防止手段が、複数の突起又は係合部によって構成されるものであってもよい。
【００６１】
筒状体が、前記実施形態で例示したアーム以外のもの、例えば種々の用途で使用されるフレームであっても構わない。また、起立姿勢や斜め姿勢に配される筒状体に対して本発明のナットの取付構造を適用してもよい。
【００６２】
また、天板付家具が左右一対の脚体を備えたものである場合、各脚体の上端部位を構成し、天板の奥行き方向に沿って延伸する横架材を、本発明の筒状体とし、この横架材の開口端部に、本発明のナットの取付構造を適用してナットを取り付けるようにしても構わない。
【００６３】
さらに、天板を支持する支持構造体が、複数のフレームを枠状に組み付けたフレーム構造体を備えたものである場合、フレームの開口端部に、本発明のナットの取付構造を適用してナットを取り付け、このナットを利用して隣接するフレーム同士を連結するようにしてもよい。
【００６４】
また、ナットを利用して筒状体に取付可能な部材が、前記実施形態で例示した梁フレーム連結体以外のものであってもよく、どのような素材からなるものであっても構わない。
【００６５】
また、前記実施形態では、天板付家具として大型の天板を備えたテーブルを例示したが、これに限らず、天板付家具として、小型の天板を備えたテーブルや、或いはオフィス等で使用される机を適用しても構わない。
【００６６】
その他、各部の具体的構成についても上記実施形態に限られるものではなく、本発明の趣旨を逸脱しない範囲で種々変形が可能である。
【図面の簡単な説明】
【００６７】
【図１】本発明の一実施形態に係るナットの取付構造を適用した天板付家具の全体斜視図。
【図２】図１のＡ方向から見たパネル脚であって、アタッチメント取付部に梁フレーム連結体及び天板受け体の何れも取り付けていない状態を一部省略して示す図。
【図３】同実施形態においてフレーム連結状態にある支持構造体の要部を模式的に示す図。
【図４】同実施形態においてフレーム非連結状態にある支持構造体の要部を模式的に示す図。
【図５】図３の要部を一部分解して示す斜視図。
【図６】同実施形態に係るナットの取付構造を適用した中間脚の要部斜視図。
【図７】図６の分解斜視図。
【図８】同実施形態における梁フレーム連結体と梁フレームとの連結状態を模式的に示す図。
【符号の説明】
【００６８】
１…天板付家具
２…天板
３…支持構造体
５…中間脚
５１…中間脚本体
５２…筒状体（アーム）
５２１…側壁
５５…梁フレーム連結体（第３の梁フレーム連結体）
８…梁フレーム（第３の梁フレーム）
Ｃ…キャップ
Ｃ１…挿入部
Ｃ１４…ナット保持部
Ｃ１４ａ…凹部
Ｃ１５…突起
Ｎ…ナット（板ナット）
【図１】
2009014186.tif 000003
【図２】
2009014186.tif 000004
【図３】
2009014186.tif 000005
【図４】
2009014186.tif 000006
【図５】
2009014186.tif 000007
【図６】
2009014186.tif 000008
【図７】
2009014186.tif 000009
【図８】
2009014186.tif 000010